(57)【特許請求の範囲】
【請求項１】
互いに隣接する第１の部材と第２の部材の間の隙間を塞ぐ目地材であって、
第１の部材は第２の部材に面した側壁を有し、側壁は、本体部と側壁の前方の一部が切り欠きもしくは凹まされて形成される舌部が設けられており、
目地材は隙間を塞ぐ上面部と上面部から下方に延びる差込部を備え、差込部の下端には引っ掛け部が設けられ、引っ掛け部は第１の部材の側壁に引っ掛け固定されており、目地材の第１の部材の前方側の差込部が切り欠かれてその前方に折返し部が設けられ、折返し部は、舌部に引っ掛け固定されることを特徴とする目地材。
【請求項２】
請求項１に記載の目地材において、第１の部材の前面が後方に向って傾斜して設けられ、前記側壁の一部が切り欠かれて形成された側壁の切り欠きは、第１の部材の前面と略平行に後方に傾斜して形成されていることを特徴とする目地材。
【請求項３】
請求項１または２に記載の目地材において、舌部の前端から切り欠きの縁への垂線の長さは側壁の本体部の高さと略同じ長さであることを特徴とする目地材。
【請求項４】
請求項１から３のいずれかに記載の目地材において、舌部の下端は側壁の本体部の下端よりも下方に位置することを特徴とする目地材。 
【請求項５】
請求項１から４のいずれかに記載の目地材において、第１の部材はカウンタであり、第２の部材は浴槽エプロン又は浴室壁であることを特徴とする目地材。
【発明の詳細な説明】
【技術分野】
【０００１】
本発明は、２つの部材間に取り付けて止水を行う目地材に関するものである。
【背景技術】
【０００２】
従来、浴槽と浴室の壁面との隙間、浴槽とカウンタとの隙間、カウンタと浴室の壁面との隙間などを、止水上の目的で、コーキング材やモールなどの目地材で塞ぐことが行われている。例えば、浴槽又はカウンタと浴室の壁面との隙間に差込み固定する目地材が知られている（特許文献１参照）。  
【０００３】
浴槽と浴室の壁面とによって形成される隙間に、端部を屈曲させた目地部材を装着させる構成が知られている（特許文献２、３参照）。また、浴槽と該浴槽と対向する壁面間に横設されるカウンタについて、浴槽と対向する壁面に対してカウンタの端部を隙間なく取り付ける構成が知られている（特許文献４参照）。
【０００４】
さらに、カウンタと壁面との隙間を覆うことのできるカウンタ隙間部材が知られている（特許文献５参照）。また、浴槽に設置されるエプロンと浴室カウンタとのなす隅部を閉塞する目地部材が知られている（特許文献６）。
【０００５】
ところで、図６は従来の目地材を示す図であるが、この目地材４１は、図６（ａ）に示すように、隙間を塞ぐ上面部４２と、上面部４２から下方に延びる差込部４３を備えており、一端には折返し部４６に設けられている。差込部４３には係止孔４７が形成されている。
【０００６】
目地材４１を、例えば、浴槽エプロン又は浴室の壁面とカウンタとの隙間に取り付ける場合には、まず、図６（ｂ）に示すように、折返し部４６を折り返して、図６（ｃ）に示すように、折返し部４６に設けられた引っ掛け部４８を、差込部４３の係止孔４７に係合させ、図６（ｃ）に示すような状態とする。このような状態にした目地材４１を浴槽エプロン又は壁面とカウンタとの隙間に挿入することによって、隙間を塞ぐことができる。
【先行技術文献】
【特許文献】
【０００７】
【特許文献１】特許第４４３２０９８号公報
【特許文献２】特許第３６５９４９９号公報
【特許文献３】特開２００７−２６０３１８号公報
【特許文献４】特許第４６６８０５０号公報
【特許文献５】特許第４８７９６９８号公報
【特許文献６】特許第５３５７５０４号公報
【発明の概要】
【発明が解決しようとする課題】
【０００８】
従来、目地材として使用されているコーキング材は、浴室の壁面、浴槽、カウンタなどの相互の隙間に充填する作業において手間がかかり、施工者の技量も必要とする。また、コーキング材は、メインテナンスなどで、浴室の壁面、浴槽、カウンタなどを相互に分離をする場合には、切って除去しなくてはならないので、手間がかかる。そして、再度、浴室の壁面、浴槽、カウンタなどを結合する際には、再度、コーキング材を充填する作業をしなくてはならないなどの問題がある。
【０００９】
また、上記特許文献１〜６に記載されている、隙間に装着する目地材は、コーキングに比べると隙間への取り付け作業は容易かもしれないが、取り付け後、その長手方向にずれてしまうなどの問題がある。
【００１０】
図６（ａ）に示す目地材４１は、カウンタに装着することなく、単に浴槽エプロン又は浴室の壁面とカウンタとの隙間に挿入する構成であるので、その長手方向に移動し、ずれたり又は隙間から飛び出したりするおそれがある。また、カウンタの前面が後方に向けて下方に傾斜した構成（図２（ｂ）参照）では、カウンタの前面の形状に沿うようにして、目地材を隙間に装着することができない、という問題がある。
【００１１】
本発明は、上記従来の問題を解決することを目的とし、構成が簡単で、浴室の壁面、浴槽、カウンタなど部材間の相互の隙間を塞ぐための取り付け作業および取り外し作業が容易にでき、隙間へ装着後、隙間の長手方向にずれたりすることを抑制可能な目地材を実現する。
【課題を解決するための手段】
【００１２】
本発明は上記課題を解決するために、互いに隣接する第１の部材と第２の部材の間の隙間を塞ぐ目地材であって、第１の部材は第２の部材に面した側壁を有し、側壁は、本体部と側壁の前方の一部が切り欠きもしくは凹まされて形成される舌部が設けられており、目地材は隙間を塞ぐ上面部と上面部から下方に延びる差込部を備え、差込部の下端には引っ掛け部が設けられ、引っ掛け部は第１の部材の側壁に引っ掛け固定されており、目地材の第１の部材の前方側の差込部が切り欠かれてその前方に折返し部が設けられ、折返し部は、舌部に引っ掛け固定されることを特徴とする目地材を提供する。
【００１３】
第１の部材の前面が後方に向って傾斜して設けられ、前記側壁の一部が切り欠かれて形成された側壁の切り欠きは、第１の部材の前面と略平行に後方に傾斜して形成されていることが好ましい。
【００１４】
舌部の前端から切り欠きの縁への垂線の長さは側壁の本体部の高さと略同じ長さであることが好ましい。
【００１５】
舌部の下端は側壁の本体部の下端よりも下方に位置することが好ましい。 
【００１６】
第１の部材はカウンタであり、第２の部材は浴槽エプロン又は浴室壁であることが好ましい。
【発明の効果】
【００１７】
本発明によると、目地材はカウンタなどの取り付ける部材への位置決め及び装着を容易に行うことができ、取り付ける部材の前面が後方に向かって下方に傾斜するなど様々な形状であっても取り付け可能であり、浴槽エプロンや浴室の壁面とカウンタとの隙間など、部材間の隙間を、コーキング剤を装填することなく、容易に止水することができる。
【図面の簡単な説明】
【００１８】
【図１】本発明に係る目地材を取り付ける対象を説明する図であり、浴槽エプロンに対してカウンタを配置した全体構成を示す斜視図である。
【図２】本発明に係る目地材を装着するカウンタを説明する図であり、（ａ）は斜視図を示し、（ｂ）はカウンタの側壁を側方（浴槽エプロン側）から見た側面図であり、（ｃ）は（ｂ）の要部の拡大図である。
【図３】本発明の目地材の実施例を説明する図であり、（ａ）は目地材の左側方から（目地材をカウンタに装着するように配置した際に浴槽側から）見た側面図であり、（ｂ）は目地材の右側方から（目地材をカウンタに装着するように配置した際にカウンタ側から）見た側面図であり、（ｃ）は（ｂ）の一部拡大図であり、（ｄ）は断面図である。
【図４】上記実施例について、カウンタに目地材を装着する工程を説明する図であり、（ａ）は装着に先立ち、カウンタの上方に目地材を配置した状態を浴槽側から見た図であり、（ｂ）は（ａ）の状態から目地材を下方に移動してカウンタに目地材を被せた状態を示す図である。
【図５】図４に続いてカウンタに目地材を装着する工程を説明する図であり、（ａ）は図４（ｂ）の状態から目地材の折返し部を折り返している状態を示す斜視図であり、（ｂ）はカウンタへの目地材の装着を完了した図である。
【図６】従来の目地材を説明する図であり、（ａ）は従来の目地材の一部を示す斜視図であり、（ｂ）は目地材の折返し部を折り返している状態を示し、（ｃ）は目地材の折返し部の引っ掛け部を目地材自体に形成された係止孔に係合し、浴槽エプロンとカウンタとの隙間に装着する準備が完了した状態を示す図である。
【発明を実施するための形態】
【００１９】
本発明に係る目地材を実施するための形態を、実施例に基づき図面を参照して、以下説明する。本発明に係る目地材は、第１の部材と第２の部材との隙間に取り付けて、隙間を塞ぎ止水を行うものであるが、本明細書では、第１の部材と第２の部材として、浴壁や浴室内に設けられる部材を例として挙げて、実施例で説明する。
【実施例】
【００２０】
本発明に係る目地材の実施例を図１〜５において説明する。図１は、浴室内において、浴槽１に浴槽エプロン２が取り付けられている。浴槽エプロン２は、大エプロン５と小エプロン６とを備え、それぞれが独立して着脱可能である。この浴槽エプロン２の小エプロン６に対面して接するようにカウンタ３が浴室の壁面４に取り付けられている浴室内の構成を示す。
【００２１】
本明細書では、図１に矢印で示すように、洗い場７側からカウンタ３を目視して、手前側を前方として、奥側（浴室の壁面４側）を後方とし、浴槽１側を左側とする。
【００２２】
本発明の目地材８は、小エプロン６又は浴室の壁面４とカウンタ３との隙間、浴槽１と浴室の壁面４との隙間など、互いに接する第１の部材と第２の部材との隙間に取り付けて、隙間を塞ぎ止水を行うものである。本実施例では、第１の部材をカウンタ３とし、第２の部材を小エプロン６とし、目地材８を、カウンタ３に装着し、小エプロン６とカウンタ３との隙間を塞いで止水する構成について説明する。
【００２３】
図２（ａ）は、カウンタ３を小エプロン６に対面して壁面４に取り付ける前の斜視図を示す。カウンタ３は、図２（ａ）〜（ｃ）に示すように、天板部１１と、天板部１１の前端側（洗い場７側）から後端側（壁面４側）に向けて下方に傾斜した前面１２と、天板１１の左端側及び右端側それぞれから下方に延びる側壁１３と、を備えている。
【００２４】
図２（ｂ）は、図２（ａ）においてカウンタ３の側壁を矢印方向から見た図であり、図２（ｃ）はその要部拡大図であるが、これらの図に示すように、側壁１３は、側壁１３の大部分をなす本体部１６と、側壁１３において前端側に位置する舌部１７とを備えている。舌部１７は、側壁１３の前端側の一部が切り欠かれて設けられたものである。
【００２５】
舌部１７の前端１９は、側壁１３の前面１２とともに、後方に向かって下方に傾斜するように形成されている。前記のとおり側壁１３の前端側の一部が切り欠かれているが、これによって、側壁１３には切り欠き１８が形成される。この切り欠き１８は、その前縁２３がカウンタ３の前面１２（舌部１７の前端１９）と略平行に後方に向けて下方傾斜している。舌部１７の下端２０は水平に形成されている。
【００２６】
なお、切り欠き１８は、後記するが、目地材８の折返し部３３の引っ掛け部２９を係入することで、舌部１７に引っ掛けて固定する機能を有する。これと同等の機能を有する構成であるならば、切り欠き１８に替えて、側壁１３における切り欠き１８に相当する箇所の外側面を、切り欠き１８と同様の形状で凹ませ、舌部を設ける構成としてもよい。
【００２７】
図２（ｃ）に示すように、舌部１７の前端１９（カウンタ３の前面１２でもある）から切り欠き１８の前縁２３への垂線Ｓの長さＬは、側壁１３の本体部１６の高さＨ（後記する目地材８の高さと略同じ）と略同じ長さである。そして、舌部１７の下端２０は、側壁１３の本体部１６の下端２４よりも下方に位置するように構成されている。
【００２８】
図３（ａ）は、目地材８をカウンタ３に装着する前に、浴槽１側（図２（ａ）の矢印参照）から見た構成を示し、図３（ｂ）、（ｃ）は、図３（ａ）の反対側（カウンタ３側から）見た図である。目地材８は、樹脂材から形成され、図３（ａ）、（ｂ）に示すように、全体として板状で長細い形状に形成されている。
【００２９】
目地材８は、図３（ｄ）にその断面を示すように、前後へ張り出して隙間を塞ぐ上面部２７と、上面部２７から下方に延びる差込部２８とを備え、差込部２８の下端には後方かつ上方に突き出たフック状の引っ掛け部２９が設けられている。差込部２８には、左右に張り出した止水用のひれ３０が上下方向に間隔をおいて複数段設けられている。
【００３０】
図３（ａ）〜（ｃ）に示すように、目地材８の長手方向の一端側（図１に示すようなカウンタ３に装着した場合において前方側）の差込部２８は、その一部が切り欠かれており、その前方に、折返し部３３が設けられている。
【００３１】
折返し部３３は、差込部２８が切り欠かれて狭くなった狭小部３４を中心に下方かつ後方に折り返すことが可能である。折返し部３３は、その前方先端側に向かって下方に傾斜するように形成されている。
【００３２】
目地材８のカウンタ３への装着とその作用は、後で詳記するが、目地材８を、カウンタ３の側壁１３に上方から被せ、引っ掛け部２９をカウンタ３の側壁１３の本体部１６の下端２４に引っ掛け、折返し部３３の引っ掛け部２９をカウンタ３の舌部１７に引っ掛けてカウンタ３に装着することによって、目地材８は、小エプロン６とカウンタ３との隙間に取り付けられ、上面部２７は、小エプロン６とカウンタ３との隙間を塞ぎ、ひれ３０は止水することが可能となる。
【００３３】
（作用）
以上の構成から成る目地材８および目地材８が装着されたカウンタ３について、その作用などを以下に説明する。カウンタ３を、図１に示すように、小エプロン６に対面して壁面４に取り付けた状態としてから、目地材８をカウンタ３の左側の側壁１３に装着する。
【００３４】
目地材８をカウンタ３の左側の側壁１３に装着する工程を、図４、図５などにおいて説明する。図４（ａ）に示すように、目地材８を、小エプロン６とカウンタ３との隙間の上方において、その狭小部３４がカウンタ３の前面１２の上縁１４に略対応するように位置させる。そして、図４（ａ）の矢印に示すように、目地材８を、カウンタ３に上方から被せながら、その差込部２８を小エプロン６とカウンタ３との隙間内に挿入していく。
【００３５】
このようにして、目地材８の差込部２８の下端に形成された引っ掛け部２９が、図４（ｂ）に示すように、カウンタ３の側壁１３の本体部１６の下端２４に引っ掛かかり、目地材８の上面部２７がカウンタ３の側壁１３の上面に当接するまで挿入する。
【００３６】
この状態で、目地材８の狭小部３４をカウンタ３の前面１２の上縁１４に当接させて、図５（ａ）に示すように、折返し部３３を、目地材８の狭小部３４を中心に、カウンタ３の舌部１７の前端１９の傾斜面に沿うまで、下方かつ後方に折り曲げる。
【００３７】
このように折り曲げてから、折返し部３３の引っ掛け部２９を、後方に位置するカウンタ３の切り欠き１８内に係入することで、舌部１７に引っ掛けて固定する。これによって、目地材８は、図５（ｂ）に示すように、カウンタ３に装着されるとともに、小エプロン６とカウンタ３との隙間に挿入され、その隙間を塞いだ状態となる。
【００３８】
この状態では、目地材８の上面部２７の左右の張り出し部が、それぞれ小エプロン６とカウンタ３の天板部１１に当接するとともに、目地材８の差込部２８に複数段設けられた左右のひれは小エプロン６とカウンタ３の側壁１３に当接する。この結果、小エプロン６とカウンタ３との隙間は、目地材８で止水することが可能となる。
【００３９】
以上のとおり、本発明の目地材８は、小エプロン６とカウンタ３との隙間に挿入し、引っ掛け部２９をカウンタ３に引っ掛けるだけで、ビスや両面粘着テープなどの特別な締結部材を要することなく、カウンタ３の側壁１３に装着し、隙間を容易に塞ぐことができる。従って、本実施例によれば、目地材８の取り付け作業は、従来のコーキングの充填作業などに比べると、特に技量を要することなく容易となる。
【００４０】
ところで、前記のとおり、カウンタ３について、図２（ｃ）に示すように、舌部１７の前端１９から切り欠き１８の前縁２３への垂線Ｓの長さＬは、側壁１３の本体部１６の高さＨ（目地材８の高さに略同じ）と略同じ長さとしたが、カウンタ３をこのような寸法関係に形成することで、目地材８の折返し部３３を折り返すと、その引っ掛け部２９が舌部１７に丁度引っ掛かけることが可能となる。
【００４１】
そして、折返し部３３を折り曲げてから折返し部３３の引っ掛け部２９を、後方に位置するカウンタ３の切り欠き１８内に係入し舌部１７に引っ掛けて固定する構成であるので、図１に示すような一辺（カウンタの側壁１３）のみへの目地材８の取り付けであっても、目地材８を小エプロン６とカウンタ３との隙間の適切な位置に位置決めして装着でき、しかも、目地材８が前方に移動してずれたり飛び出したするようなことが抑制される。
【００４２】
しかしながら、万一、折返し部３３の引っ掛け部２９が舌部１７からはずれてしまうと、目地材８が前方に移動し、ずれたり飛び出したりするおそれもある。そのような場合であっても、本発明では、目地材８が前方に移動してカウンタ３からずれたり飛び出したりするようなことは抑制される。                                   
【００４３】
即ち、前記したとおり、舌部１７の下端２０は、側壁１３の本体部１６の下端２４よりも下方に位置するように構成されている。従って、引っ掛け部２９が舌部１７からはずれて目地材８が前方に移動しても、目地材８において差込部２８が切り欠かれた前端の部分３５（図５（ａ）、図５（ｂ）参照）が舌部１７（より詳細には切り欠き１８の前縁２３）に当接して規制されるので、目地材８が前方に移動してカウンタ３からずれたり飛び出したりするようなことは抑制される。
【００４４】
前記したとおり、図６に示すような従来の目地材４１では、本実施例に示すように、カウンタ３の前面１２が後方に向けて下方に傾斜していると、カウンタ３の前面１２の形状に沿って、カウンタ３の側壁１３に装着することができない。
【００４５】
しかし、本実施例では、カウンタ３の前面１２（舌部１７の前端１９）と略平行に切り欠き１８を形成することで、目地材８は、カウンタ３の舌部１７の前端１９が後方に向けて下方に鋭角（カウンタ３の天板部１１と前面１２のなす角度が鋭角）で傾斜している構成であっても、カウンタ３の舌部１７の前端１９に沿って、カウンタ３の側壁１３に装着することができ、小エプロン６とカウンタ３との隙間の前後方向の全領域を塞ぐことが可能となる。                              
【００４６】
従って、目地材８が、隙間前方に抜け出るようなことがなく、十分な止水を行い、また見栄えが良い。なお、カウンタの前面１２が前方向けて下方に鈍角（カウンタ３の天板部１１と前面１２のなす角度が鈍角）で傾斜している構成であっても、カウンタ３の前面１２（舌部１７の前端１９）の形状に沿って隙間に装着することができる。
【００４７】
本実施例では、目地材８はカウンタ３の側壁１３に装着されているが、小エプロン６とは係合していないので、メインテナンスなどで、大エプロン５を取り外した後に、小エプロン６を前方にスライドさせて取り外すと、カウンタ３との間で隙間を形成していた小エプロン６の支えがなくなり、目地材８は、破損することなくはずれるので、従来のコーキングのように切断して取り外す構成に比べて、目地材８を隙間からの取り外す作業が容易となる。
【００４８】
また、メインテナンス後に小エプロン６を元の状態に戻せば、小エプロン６とカウンタ３との間に再び隙間が形成されるので、この隙間に改めて目地材８を装着すれば、コーキングを再度、隙間に充填する必要はなく、目地材８を再利用できる。
【００４９】
以上の実施例では、目地材８が、カウンタ３の一辺である側壁１３に装着され、小エプロン６とカウンタ３との隙間を止水する構成において説明したが、本発明の目地材８は、カウンタ３の一辺だけでなく、カウンタ３の周囲に装着してもよい。
【００５０】
また、カウンタ３の側壁１３ではなく、小エプロン６など、浴槽側に引っ掛け部２９を設けて装着してもよい。さらには、浴槽に引っ掛け部２９を設け、目地材８を浴槽の周囲に装着して、浴槽と隣接する壁面、その他の部材との隙間を塞ぐ構成としてもよい。
【００５１】
以上、本発明に係る目地材を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５２】
本発明に係る目地材は上記のような構成であるから、浴槽エプロン又は浴室の壁面とカウンタとの隙間に適用できるだけでなく、浴槽と壁面など、その周囲の部材との隙間の止水の構成としても適用可能である。さらには、浴槽などとは関係なく、２つの隣接する部材の隙間の止水をするためであれば、その他、いろいろな部材間の隙間に適用できる。
【符号の説明】
【００５３】
１  浴槽                                   
２  浴槽エプロン                           
３  カウンタ                               
４  浴室の壁面
５  大エプロン
６  小エプロン
７  洗い場                                 
８  目地材                                 
１１  カウンタの天板部                     
１２  カウンタの前面                       
１３  カウンタの側壁                       
１４  カウンタの前面の上縁                 
１６  側壁の本体部                         
１７  側壁の舌部                           
１８  側壁の切り欠き                       
１９  舌部の前端                           
２０  舌部の下端                           
２３  切り欠きの前縁                       
２４  本体部の下端                         
２７  目地材の上面部                       
２８  目地材の差込部                       
２９  目地材の引っ掛け部                   
３０  目地材の止水用のひれ                 
３３  目地材の折返し部                     
３４  目地材の狭小部
３５  差込部の前端の部分
４１  目地材
４２  上面部
４３  差込部
４６  折返し部
４７  差込部の係止孔
４８  折返し部の引っ掛け部
【図１】
0006423711.tif 000002
【図２】
0006423711.tif 000003
【図３】
0006423711.tif 000004
【図４】
0006423711.tif 000005
【図５】
0006423711.tif 000006
【図６】
0006423711.tif 000007